(57)【要約】【課題】換気に電気的手段等を用いることなく、高効率の換気が行えるキャビネットを提供することを目的とする。【解決手段】キャビネット４の収納空間がキャビネット４の一般収納空間３６と少なくとも一つの第１区画空間とに区画され、この第１区画空間が引出し収納庫１８として機能するように第１区画空間内を引出し部７ｂがその後部パネル１４とともに出し入れ可能に設けられ、後部パネル１４の背面側における第１区画空間は一般収納空間３６内と通気可能になっており、引出し部７ｂを出し入れすることによりキャビネット４の収納空間は換気可能としている。【選択図】図５
2008067819.tif 000002
【特許請求の範囲】
【請求項１】
キャビネットの収納空間が前記キャビネットの一般収納空間と少なくとも一つの第１区画空間とに区画され、この第１区画空間が引出し収納庫として機能するように第１区画空間内を引出し部がその後部パネルとともに出し入れ可能に設けられ、後部パネルの背面側における前記第１区画空間は前記一般収納空間内と通気可能になっており、前記引出し部を出し入れすることにより前記キャビネットの収納空間を換気可能としたことを特徴とするキャビネット。
【請求項２】
前記一般収納空間には、前記キャビネットの外部と連通する換気孔が設けられ、前記引出し部を出し入れすることにより前記一般収納空間内に正又は負の圧力を発生させて、前記キャビネットの収納空間を換気可能となっていることを特徴とする請求項１に記載のキャビネット。
【請求項３】
前記第１区画空間内における引出し部の後部パネルの背面側に、空気を一時的に貯留できる第２区画空間が形成されており、この第２区画空間は、通気孔を介して一般収納空間と通気可能となっていることを特徴とする請求項１または２に記載のキャビネット。
【請求項４】
キャビネットの収納空間が前記キャビネットの一般収納空間と少なくとも一つの第１区画空間とに区画され、この第１区画空間が引出し収納庫として機能するように第１区画空間内を引出し部がその後部パネルとともに出し入れ可能に設けられ、後部パネルの背面側における前記第１区画空間は前記一般収納空間内と通気可能になっているとともに、通気部を介して、引出し部の後部パネルの前面側と背面側とが通気可能となっていることを特徴とするキャビネット。
【請求項５】
キャビネットの収納空間が前記キャビネットの一般収納空間と少なくとも一つの第１区画空間とに区画され、この第１区画空間が引出し収納庫として機能するように第１区画空間内に引出し部が出し入れ可能に設けられ、この第１区画空間内における引出し部の後部パネルの背面側に第２区画空間が形成され、この第２区画空間は、通気孔を介して前記一般収納空間内と通気可能になっているとともに、前記通気部を介して前記キャビネット外部の空間に通気可能となっていることを特徴とする請求項４に記載のキャビネット。
【請求項６】
前記通気孔には、前記一般収納空間内から第２区画空間内への空気の流れを許容し、その逆の流れを抑制する逆止弁が設けられていることを特徴とする請求項５に記載のキャビネット。
【請求項７】
前記通気部には、前記第２区画空間内からキャビネット外部の空間への空気の流れを許容し、その逆の流れを抑制する逆止弁が設けられていることを特徴とする請求項５に記載のキャビネット。
【請求項８】
前記通気孔には、前記一般収納空間内から第２区画空間内への空気の流れを許容し、その逆の流れを抑制する逆止弁が設けられ、前記通気部には、前記第２区画空間内からキャビネット外部の空間への空気の流れを許容し、その逆の流れを抑制する逆止弁が設けられていることを特徴とする請求項５に記載のキャビネット。
【請求項９】
前記第２区画空間が、底板、上面板、両側板、後面板、そして引出し部の後部パネルで構成され、前記引出し部の後部パネルは、前記した底板、上面板、両側板に対して、シール部材を介して前後に移動可能となっていることを特徴とする請求項３、５ないし８のいずれかに記載のキャビネット。
【発明の詳細な説明】
【技術分野】
【０００１】
本発明は、保管庫、整理棚、食器棚等の内部に収納空間を備え、物品を収納する目的で用いられるキャビネットに関する。
【背景技術】
【０００２】
従来、例えば収納空間を備えたキャビネット内には、水滴が残った皿、鍋などの調理器具もしくは野菜などの食物が収納され、そのためキャビネット内が多湿になる問題がある。
【０００３】
また、シンクとキャビネットを有するキッチンカウンタでは、シンクの底面に設けられた排水口に通じる排水管がキャビネット内に配置されているため、シンクで温水を使用すると温水の温度とキャビネット内の温度が上昇する。その結果、収納された調理器具、野菜などの食物に対してかびの発生、食物の腐敗などが助長される。そのためキャビネット内の換気が必要になる。
【０００４】
例えばこれらの換気手段として、特許文献１に示されるようにキッチンカウンタ側面の上部と下部に通気孔を設け、収納空間内部で発生した高温の空気を上部の通気孔から排出し、またキッチンカウンタの下部の通気孔から多湿な空気を排出するような技術がある。
【０００５】
さらに、特許文献２に示されるようにキッチンカウンタの収納空間に発生する湿気を効率よく換気する手段として、収納空間内の空気を送風するファンを設置し、排気孔から強制的に外部に空気を排出する技術もある。
【０００６】
【特許文献１】特開２００４−２９０５０６号公報
【特許文献２】特開２００５−３２８８５７号公報
【発明の開示】
【発明が解決しようとする課題】
【０００７】
しかしながら、特許文献１にあっては、温度差を利用して換気するため、空気の吸入、排出量が少なく、換気効率が悪い。
【０００８】
また特許文献２にあっては、ファンなどの電気的手段等を用いて強制的に換気を行うものであり、装置が大がかりとなるとともに、電気的配線も煩雑となる。
【０００９】
本発明は、このような問題点に着目してなされたもので、換気に電気的手段等を用いることなく、高効率の換気が行えるキャビネットを提供することを目的とする。
【課題を解決するための手段】
【００１０】
前記課題を解決するために、本発明の請求項１に記載のキャビネットは、キャビネットの収納空間が前記キャビネットの一般収納空間と少なくとも一つの第１区画空間とに区画され、この第１区画空間が引出し収納庫として機能するように第１区画空間内を引出し部がその後部パネルとともに出し入れ可能に設けられ、後部パネルの背面側における前記第１区画空間は前記一般収納空間内と通気可能になっており、前記引出し部を出し入れすることにより前記キャビネットの収納空間を換気可能としたことを特徴としている。
この特徴によれば、引出し収納庫の使用時等、前記第１区画空間内における引出し部の出し入れ動作に伴い、引出し部の後部パネルの背面側の空間の容積が変化する。ここで引出し部の後部パネルの背面側の空間の容積が拡大すると、キャビネット外部の空間から一般収納空間に空気が吸引され、続いて引出し部の後部パネルの背面側の空間の容積が縮小すると、一般収納空間内の一部の空気がキャビネット外部の空間に排出されることになる。
【００１１】
本発明の請求項２に記載のキャビネットは、請求項１に記載のキャビネットであって、前記一般収納空間には、前記キャビネットの外部と連通する換気孔が設けられ、前記引出し部を出し入れすることにより前記一般収納空間内に正又は負の圧力を発生させて、前記キャビネットの収納空間を換気可能となっていることを特徴としている。
この特徴によれば、引出し部の出し入れ動作に伴い、一般収納空間内に正と負の圧力が発生することにより、キャビネットの外部と連通するように設けた換気孔を介して一般収納空間内の空気を換気できる。
【００１２】
本発明の請求項３に記載のキャビネットは、請求項１または２に記載のキャビネットであって、前記第１区画空間内における引出し部の後部パネルの背面側に、空気を一時的に貯留できる第２区画空間が形成されており、この第２区画空間は、通気孔を介して一般収納空間と通気可能となっていることを特徴としている。
この特徴によれば、第２区画空間内から通気孔を介した一般収納空間への空気の排出速度が高まり、一般収納空間内の空気が攪拌されるので、一般収納空間内の空気が澱みなくキャビネット外部の空間へ排出される。
【００１３】
本発明の請求項４に記載のキャビネットは、キャビネットの収納空間が前記キャビネットの一般収納空間と少なくとも一つの第１区画空間とに区画され、この第１区画空間が引出し収納庫として機能するように第１区画空間内を引出し部がその後部パネルとともに出し入れ可能に設けられ、後部パネルの背面側における前記第１区画空間は前記一般収納空間内と通気可能になっているとともに、通気部を介して、引出し部の後部パネルの前面側と背面側とが通気可能となっていることを特徴としている。
この特徴によれば、引出し収納庫の使用時等、第１区画空間内における引出し部の出し入れ動作に伴い、引出し部の後部パネルの背面側の空間の容積が変化する。ここで引出し部の後部パネルの背面側の空間の容積が拡大した後、引出し部の後部パネルの背面側の空間の容積が縮小すると、一般収納空間内の一部の空気が通気部を介してキャビネット外部の空間に排出されることになる。
【００１４】
本発明の請求項５に記載のキャビネットは、請求項４に記載のキャビネットであって、
キャビネットの収納空間が前記キャビネットの一般収納空間と少なくとも一つの第１区画空間とに区画され、この第１区画空間が引出し収納庫として機能するように第１区画空間内に引出し部が出し入れ可能に設けられ、この第１区画空間内における引出し部の後部パネルの背面側に第２区画空間が形成され、この第２区画空間は、通気孔を介して前記一般収納空間内と通気可能になっているとともに、前記通気部を介して前記キャビネット外部の空間に通気可能となっていることを特徴としている。
この特徴によれば、引出し収納庫の使用時等、第１区画空間内における引出し部の出し入れ動作に伴い、引出し部の後部パネルの背面側とで形成されている第２区画空間の内容積が変化する。ここで第２区画空間の内容積が拡大すると、一般収納空間内の一部の空気（滞留空気）が通気孔を介して第２区画空間に吸引され、続いて第２区画空間の内容積が縮小すると、第２区画空間内の一部の空気が通気部を介してキャビネット外部の空間に排出されることになる。
【００１５】
本発明の請求項６に記載のキャビネットは、請求項５に記載のキャビネットであって、前記通気孔には、前記一般収納空間内から第２区画空間内への空気の流れを許容し、その逆の流れを抑制する逆止弁が設けられていることを特徴としている。
この特徴によれば、前記通気部の逆止弁が、一般収納空間内から第２区画空間内への空気の吸引を許容するものの、一旦第２区画空間に吸引された空気を一般収納空間に戻り辛くするため、一般収納空間内の空気（滞留空気）がキャビネット外部に効率的に排出されることになる。
【００１６】
本発明の請求項７に記載のキャビネットは、請求項５に記載のキャビネットであって、前記通気部には、前記第２区画空間内からキャビネット外部の空間への空気の流れを許容し、その逆の流れを抑制する逆止弁が設けられていることを特徴としている。
この特徴によれば、前記通気部の逆止弁が、第２区画空間内からキャビネット外部の空間への空気の排出を許容するものの、第２区画空間の内容積が拡大する際、キャビネット外部の空間から第２区画空間への空気の吸引を抑えるため、一般収納空間内の空気（滞留空気）がキャビネット外部に効率的に排出されることになる。
【００１７】
本発明の請求項８に記載のキャビネットは、請求項５に記載のキャビネットであって、前記通気孔には、前記一般収納空間内から第２区画空間内への空気の流れを許容し、その逆の流れを抑制する逆止弁が設けられ、前記通気部には、前記第２区画空間内からキャビネット外部の空間への空気の流れを許容し、その逆の流れを抑制する逆止弁が設けられていることを特徴としている。
この特徴によれば、第２区画空間の内容積が拡大する際、前記通気孔の逆止弁が一般収納空間内から第２区画空間内への空気の流れを許容し、前記通気部の逆止弁がキャビネット外部の空間から第２区画空間への空気の吸引を抑える。続いて第２区画空間の内容積が縮小する際、前記通気部の逆止弁が第２区画空間内からキャビネット外部の空間への空気の流れを許容し、前記通気孔の逆止弁が第２区画空間に吸引された空気を一般収納空間に戻り辛くするため、一般収納空間内の空気（滞留空気）がポンプ作用によりキャビネット外部に効率的に排出されることになる。
【００１８】
本発明の請求項９に記載のキャビネットは、請求項３、５ないし８のいずれかに記載のキャビネットであって、前記第２区画空間が、底板、上面板、両側板、後面板、そして引出し部の後部パネルで構成され、前記引出し部の後部パネルは、前記した底板、上面板、両側板に対して、シール部材を介して前後に移動可能となっていることを特徴としている。
この特徴によれば、引出し部の後部パネルと、底板、上面板、両側板との密封状態が確保されるため、第２区画空間内における吸引、排出効率が高まり、一般収納空間内の空気（滞留空気）がキャビネット外部に効率的に排出されることになる。
【発明を実施するための最良の形態】
【００１９】
本発明に係るキャビネットを実施するための最良の形態を以下に説明する。
【実施例１】
【００２０】
本発明の実施例を図面に基づいて説明すると、先ず図１は、本発明の実施例１におけるキャビネットを有するキッチンカウンタの全体像を示す斜視図である。図２は、キャビネットを有するキッチンカウンタの一部側断面図である。図３は、キャビネットを有するキッチンカウンタの一部破断を示す斜視図である。図４（ａ）、（ｂ）は、引出し部開閉時の空気の流れを示す一部側断面図である。図５は、実施例２におけるキャビネットを有するキッチンカウンタの一部側断面図である。図６は、実施例３におけるキャビネットを有するキッチンカウンタの一部側断面図である。図７は、キャビネットを有するキッチンカウンタの一部破断を示す斜視図である。図８（ａ）、（ｂ）は、引出し部開閉時の空気の流れを示す一部側断面図である。図９は、本発明の実施例４におけるキャビネットを有するキッチンカウンタの一部側断面図である。図１０（ａ）、（ｂ）は、引出し部開閉時の空気の流れを示す一部側断面図である。図１１（ａ）、（ｂ）は、本発明の実施例５における引出し部開閉時の空気の流れを示す一部側断面図である。図１２（ａ）、（ｂ）は本発明の実施例７における引出し部開閉時の空気の流れを示す一部側断面図である。図１３（ａ）、（ｂ）は本発明の実施例８における引出し部開閉時の空気の流れを示す一部側断面図である。
【００２１】
図１に示されるように、本実施例におけるキャビネットを有するキッチンカウンタ１は、幅方向に延びる箱型形状のキャビネット４と、その上部の天板９に形成されたシンク２、コンロ３、蛇口８などから構成されており、キャビネット４の前面から開放可能な開閉扉５、小型引出し６、引出し部７などを有している。
【００２２】
次に前記キャビネット４の構造を図２、図３を用いて説明すると、キャビネット４内は基本的に全てが収納空間になっており、この収納空間は、上面板３２、底板３１、後面板３５、両側板３３、３４によって形成された第１区画空間としての引出し収納庫１８と、その他の一般収納空間３６とに分かれている。引出し部７は引出し部７ａと引出し部７ｂから構成されており、引出し収納庫１８に引出し部７ｂが出し入れ可能に設けられている。
【００２３】
また引出し部７ｂは、フロントパネル１２、底面をなすボトムパネル１５、後部パネル１４、サイドパネル１３、１３から構成された箱型形状である。また後部パネル１４は、上面板３２の下面側、底板３１の上面側、両側板３３、３４の内側とほぼ当接して移動可能になっている。底板３１、上面板３２、側板３３及び側板３４に当接する後部パネル１４の側面部に下部引出し部７ｂが摺動可能となるよう、シール部材１６が取り付けられる。ちなみに後部パネルに構成されたシール部材１６は、底板３１、上面板３２、側板３３、３４に対してある程度隙間があるよう取り付けられてもよい。
【００２４】
ここで引出し収納庫１８内の後部パネル１４の背面側に形成された空間は、第２区画空間としての貯留室３７を成し、引出し部７ｂの前後の移動によって後部パネル１４が追従し、貯留室３７の内容積が変化するようになっている。
【００２５】
また上面板３２には通気孔２３が設けられ、背面板３８にキャビネット４内部を換気するための換気孔１７が設けられている。
【００２６】
上記構成を有するキャビネット４の機能を説明すると、引出し部７ｂの使用時等、引出し収納庫１８内における引出し部７ｂの出し入れ動作に伴い、引出し部７ｂの後部パネル１４の背面側とで形成されている貯留室３７の内容積が変化する。貯留室３７の内容積が拡大する際、一般収納空間３６及び貯留室３７内に負の圧力が発生するため、図４（ａ）に示されるようにキャビネット４外部からキャビネット４の外部と連通するように設けた換気孔１７を介して一般収納空間３６に空気が吸引されるとともに、キャビネット４外部から吸引された空気も含む一般収納空間３６内の一部の空気が通気孔２３を介して貯留室３７に吸引される。続いて貯留室３７の内容積が縮小する際、一般収納空間３６及び貯留室３７の圧力が正方向に発生するため、図４（ｂ）に示されるように、貯留室３７の空気が通気孔２３を介して一般収納空間３６に排出されるとともに、一般収納空間３６の空気の一部がキャビネット４の外部と連通するように設けた換気孔１７を介してキャビネット４外部に排出されることになる。すなわちキャビネット４内の圧力の変動によりキャビネット４内が換気される。
【００２７】
ちなみに通気孔２３の開口断面積を適度に小さくすると、貯留室３７の内容積が縮小する際に伴う貯留室３７から通気孔２３を介した一般収納空間３６への空気の排出速度が高まるため、一般収納空間３６内の空気が攪拌されるので、一般収納空間３６内は澱みなく一般収納空間３６内の一部の空気がキャビネット４外部の空間へ排出される。
【実施例２】
【００２８】
次に実施例２に係るキャビネットにつき、図面に基づいて説明する。尚、前記実施例に示される構成部分と同一構成部分に付いては同一符号を付して重複する説明を省略する。
【００２９】
実施例２に係るキャビネットは、実施例１で示したキャビネットの後面板３５が後部パネル１４で代用された構造である。
【００３０】
すなわち、図５に示されるように本実施例のキャビネットは通気孔が設けられず、上面板３２’と底板３１’とその間に摺動可能に設けられた後部パネル１４を境に第１区画空間としての引出し収納庫１８と一般収納空間３６で形成され、引出し収納庫１８に引出し部７ｂが出し入れ可能に設けられた構造である。
【００３１】
上記構成を有するキャビネット４の機能を説明すると、引出し部７ｂの使用時等、引出し収納庫１８内における引出し部７ｂの出し入れ動作に伴い、引出し部７ｂの後部パネル１４の背面側の空間の容積が変化する。ここで引出し部７ｂの後部パネル１４の背面側の空間の容積が拡大する際、一般収納空間３６内に負の圧力が発生するため、キャビネット４外部から換気孔１７を介して一般収納空間３６に空気が吸引される。続いて引出し部７ｂの後部パネル１４の背面側の空間の容積が縮小する際、一般収納空間３６の圧力が正方向に発生するため、一般収納空間３６の一部の空気が換気孔１７を介してキャビネット４外部の空間に排出されることになる。
【００３２】
次に実施例３に係るキャビネットにつき、図面に基づいて説明する。尚、前記実施例に示される構成部分と同一構成部分に付いては同一符号を付して重複する説明を省略する。
【実施例３】
【００３３】
実施例３のキャビネット４の形態は、前記実施例１で示したキャビネットの形態と基本的に同構造であるが、後部パネル１４に通気部が形成されていること、また通気部及び通気孔には逆止弁が設けられている点が実施例１と異なっている。
【００３４】
すなわち、図６、図７に示されるように後部パネル１４には、通気部２１、上面板３２には通気孔２３が設けられ、この通気部２１にはゴムやビニール質など可撓性材質の弁機能を備えた逆止弁２２であるフラッパー２２ａが取り付けられ、通気孔２３にも同様に可撓性材質の逆止弁２４であるフラッパー２４ａが取り付けられている。
【００３５】
逆止弁２２は、貯留室３７から引出し部７ｂのフロントパネル１２側への流れを許容し、その逆の流れを抑制するように機能し、逆止弁２４は、一般収納空間３６から貯留室３７への流れを許容し、その逆の流れを抑制するように機能するようになっている。
【００３６】
また背面板３８にキャビネット４内部に大気が取り込まれるよう換気孔１７が設けられている。なおキャビネット４を構成する部材において、部材同士の当接部に生じる隙間からも大気が取り込まれる。
【００３７】
上記構成を有するキャビネット４の機能を説明すると、引出し部７ｂの使用時等、引出し収納庫１８内における引出し部７ｂの出し入れ動作に伴い、引出し部７ｂの後部パネル１４の背面側とで形成されている貯留室３７間の内容積が変化する。貯留室３７の内容積が拡大する際、図８（ａ）に示されるように通気孔２３の逆止弁２４が一般収納空間３６内から貯留室３７内への空気の流れを許容し、通気部２１の逆止弁２２がキャビネット外部の空間から貯留室３７への空気の吸引を抑える。続いて貯留室３７の内容積が縮小する際、図８（ｂ）に示されるように通気部２１の逆止弁２２が貯留室３７内からキャビネット外部の空間への空気の流れを許容し、通気孔２３の逆止弁２４が貯留室３７に吸引された空気を一般収納空間３６に戻り辛くするため、一般収納空間３６内の空気（滞留空気）がポンプ作用によりキャビネット４外部に効率的に排出されることになる。
【実施例４】
【００３８】
次に実施例４に係るキャビネットにつき、図面に基づいて説明する。尚、前記実施例に示される構成部分と同一構成部分に付いては同一符号を付して重複する説明を省略する。
【００３９】
実施例４に係るキャビネットは実施例３で示したキャビネットと構造上同じであるが、逆止弁の構造が実施例３と異なっている。
【００４０】
すなわち、本実施例の逆止弁２５は、ユニット型であり、このユニットは、図１０に示されるように通気部２１を有する筐体２５ａ内に上動可能な比較的軽量の球状の弁体２５ｂが弁座２５ｃを閉塞するように内装された構造である。同様に本実施例の逆止弁２６は、ユニット型であり、このユニットは、図９に示されるように通気孔２３を有する筐体２６ａ内に上動可能な比較的軽量の球状の弁体２６ｂが弁座２６ｃを閉塞するように内装された構造である。
【００４１】
上記構成を有するキャビネット４の機能を説明すると、引出し部７ｂの使用時等、引出し収納庫１８内における引出し部７ｂの出し入れ動作に伴い、引出し部７ｂの後部パネル１４の背面側とで形成されている貯留室３７間の内容積が変化する。貯留室３７の内容積が拡大する際、図１０（ａ）に示されるように通気孔２３の逆止弁２６内の弁体２６ｂが一般収納空間３６内から貯留室３７内への空気の流れを許容し、通気部２１の逆止弁２５内の弁体２５ｂがキャビネット外部の空間から貯留室３７への空気の吸引を抑える。続いて貯留室３７の内容積が縮小する際、図１０（ｂ）に示されるように通気部２１の逆止弁２５内の弁体２５ｂが貯留室３７内からキャビネット外部の空間への空気の流れを許容し、通気孔２３の逆止弁２６内の弁体２６ｂが貯留室３７に吸引された空気を一般収納空間３６に戻り辛くするため、一般収納空間３６内の空気（滞留空気）がポンプ作用によりキャビネット４外部に効率的に排出されることになる
【実施例５】
【００４２】
次に実施例５に係るキャビネットにつき、図面に基づいて説明する。尚、前記実施例に示される構成部分と同一構成部分に付いては同一符号を付して重複する説明を省略する。
【００４３】
実施例５のキャビネットの形態は、前記実施例３で示したキャビネットの形態と構造上ほぼ同様の形態であるが、図１１に示されるように通気部２１にのみ逆止弁２２が設けられている。
【００４４】
上記構成を有するキャビネット４の機能を説明すると、引出し部７ｂの使用時等、引出し収納庫１８内における引出し部７ｂの出し入れ動作に伴い、引出し部７ｂの後部パネル１４の背面側とで形成されている貯留室３７間の内容積が変化する。貯留室３７の内容積が拡大する際、図１１（ａ）に示されるように通気部２１の逆止弁２２がキャビネット外部の空間から貯留室３７への空気の吸引を抑える。続いて貯留室３７の内容積が縮小する際、図１１（ｂ）に示されるように通気部２１の逆止弁２２が貯留室３７内からキャビネット４外部の空間への空気の流れを許容する。
【００４５】
ここで、通気部２１、通気孔２３の開口断面積が同じであると仮定すると、貯留室３７に吸引された空気がキャビネット４外部に排出されるとき、通気孔２３を介して一般収納空間３６に戻される空気存在するが、それと同量程度の空気が通気部２１を介してキャビネット４外部に排出される。つまり貯留室３７に吸引された空気の１／２程度がキャビネット４外部に排出されることになるのでキャビネット４内の換気が可能となる。
【実施例６】
【００４６】
次に実施例６に係るキャビネットについて説明する。尚、前記実施例に示される構成部分と同一構成部分に付いては同一符号を付して重複する説明を省略する。
【００４７】
実施例６のキャビネットは、特に図示しないが、前記実施例３で示したキャビネットの形態と構造上ほぼ同様の形態であるが、通気孔２３にのみ逆止弁２４が設けられている。
【００４８】
上記構成を有するキャビネット４の機能を説明すると、引出し部７ｂの使用時等、引出し収納庫１８内における引出し部７ｂの出し入れ動作に伴い、引出し部７ｂの後部パネル１４の背面側とで形成されている貯留室３７間の内容積が変化する。貯留室３７の内容積が拡大する際、通気孔２３の逆止弁２４が一般収納空間３６内から貯留室３７内への空気の流れを許容する。続いて貯留室３７の内容積が縮小する際、通気孔２３の逆止弁２４が貯留室３７に吸引された空気を一般収納空間３６に戻り辛くするため、一般収納空間３６内の空気（滞留空気）がキャビネット４外部に排出されることになる。
【００４９】
ここで、通気部２１、通気孔２３の開口断面積が同じであり、引出し７の開口で貯留室３７に貯留される内容積を１とする仮定すると、通気孔２３から空気量がほぼ、１／２と、通気部２１からは大気量がほぼ、１／２の総量１の混合気体が貯留室３７に貯留される。しかし、通気孔２３には逆止弁２２が設けられているので、引出し部７ｂが閉鎖されると貯留室３７に貯留された総量１の混合気体が通気部２１から排出される。結果的に貯留室３７の１／２の体積に相当する一般収納空間３６の空気量がキャビネット４外部に排出され、換気が可能となる。
【実施例７】
【００５０】
次に実施例７に係るキャビネットにつき、図面に基づいて説明する。尚、前記実施例に示される構成部分と同一構成部分に付いては同一符号を付して重複する説明を省略する。
【００５１】
実施例７のキャビネットの形態は、前記実施例３で示したキャビネットの形態と構造上ほぼ同様の形態であるが、図１２で示されるように通気部２１と通気孔２３ともに逆止弁２２、逆止弁２４が設けられていない。
【００５２】
上記構成を有するキャビネット４の機能を説明すると、引出し部７ｂの使用時等、引出し収納庫１８内における引出し部７ｂの出し入れ動作に伴い、引出し部７ｂの後部パネル１４の背面側とで形成されている貯留室３７の内容積が変化する。ここで貯留室３７の内容積が拡大すると、図１２（ａ）に示されるように一般収納空間３６内の一部の空気（滞留空気）が通気孔２３を介して貯留室３７に吸引され、続いて貯留室３７の内容積が縮小すると、図１２（ｂ）に示されるように貯留室３７の一部の空気が通気部２１を介してキャビネット４外部の空間に排出されることになる。
【００５３】
ここで、通気部２１、通気孔２３の開口断面積が同じであり、引出し７の開口で貯留室３７に貯留される内容積を１とする仮定すると、引出し部７ｂの一回の開口で、通気孔２３を介して一般収納空間３６から空気量が１／２、また通気部２１を介してキャビネット４外部の大気量が1／２の混合気体が貯留室３７に吸引される。引出し部７ｂの閉鎖の際、通気部２１からはキャビネット４外部に混合気体量１／２が排出され、通気孔２３からは、混合気体量１／２が一般収納空間３６に戻される。結果的に貯留室３７の１／４の体積に相当する一般収納空間３６の空気量がキャビネット４外部に排出され、換気が可能となる。
【実施例８】
【００５４】
次に実施例８に係るキャビネットについて説明する。尚、前記実施例に示される構成部分と同一構成部分に付いては同一符号を付して重複する説明を省略する。
【００５５】
実施例８のキャビネットは、図１３で示されるように、上面板３２’と底板３１’とその間に摺動可能に設けられた後部パネル１４を境に第１区画空間としての引出し収納庫１８と一般収納空間３６で形成され、引出し収納庫１８に引出し部７ｂが出し入れ可能に設けられた構造であり、後部パネル１４に通気部２１が設けられている。
【００５６】
上記構成を有するキャビネット４の機能を説明すると、引出し部７ｂの使用時等、引出し収納庫１８内における引出し部７ｂの出し入れ動作に伴い、引出し部７ｂの後部パネル１４の背面側の空間の容積が変化する。ここで図１３（ａ）に示されるように引出し部７ｂの後部パネル１４の背面側の空間の容積が拡大した後、引出し部７ｂの後部パネル１４の背面側の空間の容積が縮小すると、図１３（ｂ）に示されるように一般収納空間３６内の一部の空気が通気部２１を介してキャビネット４外部の空間に排出されることになる。
【実施例９】
【００５７】
次に実施例９に係るキャビネットについて説明する。尚、前記実施例に示される構成部分と同一構成部分に付いては同一符号を付して重複する説明を省略する。
【００５８】
実施例９のキャビネットは、特に図示しないが、前記実施例８で示したキャビネットの形態と構造上ほぼ同様の形態であるが、通気部２１に逆止弁２２が設けられている。
【００５９】
上記構成を有するキャビネット４の機能を説明すると、引出し部７ｂの使用時等、引出し収納庫１８内における引出し部７ｂの出し入れ動作に伴い、引出し部７ｂの後部パネル１４の背面側の空間の容積が変化する。ここで引出し部７ｂの後部パネル１４の背面側の空間の容積が拡大する後、通気部２１の逆止弁２２がキャビネット４外部の空間から引出し部７ｂの後部パネル１４の背面側への空気の吸引を抑える。続いて引出し部７ｂの後部パネル１４の背面側の空間の容積が縮小する際、一般収納空間３６内の一部の空気が通気部２１を介してキャビネット４外部の空間に効率的に排出され、一般収納空間３６内は換気されることになる。
【００６０】
以上、本発明の実施例を図面により説明してきたが、具体的な構成はこれら実施例に限られるものではなく、本発明の要旨を逸脱しない範囲における変更や追加があっても本発明に含まれる。
【００６１】
例えば、変形例１として、通気部２１、２３、それに伴う逆止弁２２、２４は複数存在としてもよく、通気部２１はキャビネット４外部に通じるならば、貯留室３７を形成する面（後部パネル１４、側板３３、３３など）どこに設けられてもよい。また通気孔２３は一般収納空間３６と通じるならば、貯留室３７を形成する面（上面板３２、後面板３５など）どこに設けられてもよい。
【００６２】
変形例２としては、底板３１及び上面板３２が背面板３８と当接された構造であれば後面板３５が設けられなくてもよい。つまり後面板３５が背面板３８で代用されてもよい。
【００６３】
変形例３としては、一般収納空間３６と引出し収納庫１８は上下でなくとも左右に配置されてもよい。
【００６４】
変形例４としては、大気を取り込む換気孔１７は、一般収納空間３６を形成する面ならどこに設けられてもよい。例えば、背面板３８の下方やキャビネット４外部の空間に通じる位置である引出し部７ａと天板９との間、また側板３４に設けられてもよい。その他、引出し部７aの前面側のパネルにパンチング穴を設けたプレートを採用してもよい。上記のような位置に換気孔が配設されることにより、キャビネット４内の一部の空気を所定の位置に排出することができる。
【００６５】
変形例５としては、換気孔１７を介してキャビネット４内部への粉塵などの埃の進入を防ぐため、換気孔１７にメッシュ構造のシートなどを設けてもよい。
【００６６】
また変形例６としては、通気部２１を変形例４の引出し部７aに示されたように後部パネル１４にパンチング穴を設けたプレートを採用してもよく、また後部パネル１４の一部あるいは全体にメッシュ構造を設けたものを用いてもよい。
【００６７】
また変形例７としては、引出し収納庫１８と引出し部７ｂの形状は、後部パネル１４がある程度密閉されるよう引出し収納庫１８を摺動可能となるような空間ならどういう形状で構成されてもよい。例えば、底板３１、上面板３２、側板３３、３４、後面板３５で構成されるように多面体的な空間でなくてもよく、例えば部材が一体化した円筒形状のもので引出し収納庫１８と引出し部７ｂが構成されてもよい。
【図面の簡単な説明】
【００６８】
【図１】本発明の実施例１におけるキャビネットを有するキッチンカウンタの全体像を示す斜視図である。
【図２】キャビネットを有するキッチンカウンタの一部側断面図である。
【図３】キャビネットを有するキッチンカウンタの一部破断を示す斜視図である。
【図４】（ａ）、（ｂ）は、引出し部開閉時の空気の流れを示す一部側断面図である。
【図５】本発明の実施例２におけるキャビネットを有するキッチンカウンタの一部側断面図である。
【図６】実施例３におけるキャビネットを有するキッチンカウンタの一部側断面図である。
【図７】キャビネットを有するキッチンカウンタの一部破断を示す斜視図である。
【図８】（ａ）、（ｂ）は、引出し部開閉時の空気の流れを示す一部側断面図である。
【図９】実施例４におけるキャビネットを有するキッチンカウンタの一部側断面図である。
【図１０】（ａ）、（ｂ）は、引出し部開閉時の空気の流れを示す一部側断面図である。
【図１１】（ａ）、（ｂ）は、本発明の実施例５における引出し部開閉時の空気の流れを示す一部側断面図である。
【図１２】（ａ）、（ｂ）は本発明の実施例７における引出し部開閉時の空気の流れを示す一部側断面図である。
【図１３】（ａ）、（ｂ）は本発明の実施例８における引出し部開閉時の空気の流れを示す一部側断面図である。
【符号の説明】
【００６９】
１                キッチンカウンタ
２                シンク
３                コンロ
４                キャビネット
５                開閉扉
６                小型引出し
７                引出し部
７ａ              引出し部
７ｂ              引出し部
８                蛇口
９                天板
１２              フロントパネル
１３              サイドパネル
１４              後部パネル
１５              ボトムパネル
１６              シール部材
１７              換気孔
１８              引出し収納庫（第１区画空間）
２１              通気部
２２              逆止弁
２２ａ            フラッパー
２３              通気孔
２４              逆止弁
２４ａ            フラッパー
２５              逆止弁
２５ａ            筐体
２５ｂ            弁体
２５ｃ            弁座
２６              逆止弁
２６ａ            筐体
２６ｂ            弁体
２６ｃ            弁座
３１              底板
３１’            底板
３２              上面板
３２’            上面板
３３              側板
３４              側板
３５              後面板
３６              一般収納空間
３７              貯留室（第２区画空間）
３８              背面板
【図１】
2008067819.tif 000003
【図２】
2008067819.tif 000004
【図３】
2008067819.tif 000005
【図４】
2008067819.tif 000006
【図５】
2008067819.tif 000007
【図６】
2008067819.tif 000008
【図７】
2008067819.tif 000009
【図８】
2008067819.tif 000010
【図９】
2008067819.tif 000011
【図１０】
2008067819.tif 000012
【図１１】
2008067819.tif 000013
【図１２】
2008067819.tif 000014
【図１３】
2008067819.tif 000015